(57)【要約】  【課題】小型化，薄型化，低コスト化に有利なカメラ用羽根駆動装置を提供すること。  【解決手段】殆ど同じ外形をした合成樹脂製の地板１，金属製の口径規制板２，金属製のカバー板３が、順に重ねて配置されている。地板１は、撮影レンズに接触しないように大きな開口部１ａを有している。カバー板３は、地板１に、ねじ４，５によって取り付けられているが、口径規制用の開口部２ａを有する口径規制板２を、突起部３ａ，３ｂ，３ｃ，３ｄによって地板１に圧接させ、口径規制板２との間にシャッタ羽根６の羽根室を構成している。そして、アクチュエータの固定子枠７は、ねじ１１によって一端側を地板１に取り付けられていると共に、他端側の係合部７ｂを、カバー板３の折曲部３ｅに形成された孔によって掛け止めされている。【選択図】  図１
2005189717.tif 000002
【特許請求の範囲】
【請求項１】
撮影レンズとの接触を避けるために開口部を有している合成樹脂製の地板と、金属製の薄い板材で前記地板と略同じ外形形状に製作されていて前記地板に対して所定の間隔を空けて取り付けられており前記地板側には複数個の突出部が形成されていると共に外形縁の所定の位置には先端にフック部を有する折曲部が少なくとも一つ形成されているカバー板と、金属製の薄い板材で製作されていて前記開口部よりも小さく且つ光軸を中心にした円形の光路規制用開口部を有しており前記地板に位置決めされた上で前記突出部によって前記地板に対して圧接され前記カバー板との間に羽根室を構成している口径規制板と、前記羽根室内に配置されていて前記地板に回転可能に取り付けられている羽根部材と、複数の取付部を有していて前記羽根部材を往復回転させるために前記地板の前記口径規制板側とは反対側の面に配置されていており該取付部の少なくとも一つを前記フック部に係合させて前記地板に取り付けられているアクチュエータと、を備えていることを特徴とするカメラ用羽根駆動装置。
【請求項２】
前記アクチュエータが、二つの取付部を有していて、一方の取付部はねじによって前記地板に取り付けられていることを特徴とする請求項１に記載のカメラ用羽根駆動装置。
【請求項３】
前記口径規制板が、複数の孔を有していて、それらを前記地板に設けられた複数の位置決めピンに嵌合させることによって位置決めされていることを特徴とする請求項１又は２に記載のカメラ用羽根駆動装置。
【発明の詳細な説明】
【技術分野】
【０００１】
本発明は、シャッタ羽根や絞り羽根などの羽根部材をアクチュエータで駆動するようにしたカメラ用羽根駆動装置に関する。
【背景技術】
【０００２】
カメラに採用されているレンズシャッタ装置，絞り装置，フィルタ装置は、各々羽根部材を有していて、それらをアクチュエータによって往復作動させるようにしている。そして、レンズシャッタ装置の場合には、羽根部材を２枚としたものが多いが、レンズ口径の小さなカメラの場合には、１枚としたものもある。また、レンズ口径の小さなカメラに採用される絞り装置の場合には、小さな円形の開口部を有した１枚の羽根部材を備え、必要に応じて、その開口部を撮影光路に進退させるようにしたものが多くなっている。
【０００３】
更に、フィルタ装置の場合には、１枚の羽根部材が、上記の絞り装置の羽根部材と類似の形状（但し、その開口部は、地板に形成された撮影光路規制用の開口部と略同じ大きさの場合もある）をしていて、その開口部の近傍位置にその開口部を覆うようにしてＮＤフィルタ板を接着剤で貼付したものが多いが、ＮＤフィルタ板を貼付することなく、上記の形状の羽根部材を２枚用意すると共に、それらの間に、それらの開口部を覆うようにして、ＮＤフィルタ板のみで製作した羽根部材を重合させ、３枚の羽根部材を同時に同方向へ同角度だけ往復回転させるようにしたものも考えられている。
【０００４】
他方、最近では、カメラの小型化，薄型化が進んでいて、固体撮像素子を用いたカメラの場合には、携帯電話やＰＤＡなどの携帯用情報端末装置にも内蔵されるようになってきた。しかしながら、カメラ付き携帯用情報端末装置の場合には、カメラ構成が大型化してしまうという問題点があることから、いまだに、上記のようなシャッタ装置や絞り装置などを備えたものが実現していない。そのため、シャッタ装置や絞り装置などは、これまでにも採用されている銀塩フィルムカメラやデジタルカメラに対してだけではなく、カメラ付き携帯用情報端末装置にも採用可能とするために、これまで以上に小型化，薄型化することが要求されている。
【０００５】
ところで、上記のような各々の装置を、これまで以上に小型化，薄型化するためには、さらに、羽根部材を小さくしたり、アクチュエータを小さく且つ薄く構成したりすることなどが必要であるが、アクチュエータについては、自ずと制約があって、そのようにすることは、なかなか簡単なことではない。そのため、勿論、一方では、そのような努力は重ねるものの、他方では、地板に対するアクチュエータの取付け方を工夫して、地板の大きさが極力小さくて済むようにするというような努力もされている。
【０００６】
そして、特許文献１には、アクチュエータ（モータ）を地板（シャッタ地板）に２箇所で取り付けるに際し、一方は、ねじによって取り付けているが、他方については、ねじを用いず、地板に設けたフック部（鉤部）で取り付けることによって、ねじによる取付面を設けず、地板（シャッタ地板）を大きくしなくて済むようにしていると共に、ねじの部品点数を減らして低コスト化をも図っているシャッタ装置が開示されている。
【特許文献１】特開２００２−３１５２９４号公報
【発明の開示】
【発明が解決しようとする課題】
【０００７】
ところで、上記のような各装置を、カメラ付き携帯用情報端末装置にまで採用可能とするためには、羽根部材やアクチュエータを小さくするだけでよいというものではない。羽根部材は、一般的には、撮影レンズを構成するレンズ間で作動するようにされるので、カメラ付き携帯用情報端末装置の薄型化を図るためには、撮影レンズを、羽根室を構成している地板とカバー板に接近して配置させる必要があるが、そのためには、地板とカバー板とを極力薄くしなければならない。ところが、通常、地板の場合には、合成樹脂製であって、アクチュエータや、羽根部材や、カバー板などを取り付けなければならないことから、比較的厚く形成せざるを得ないものとなっている。そのため、それらの取付部を所定の厚さに保ち、撮影レンズと対向する比較的大きな領域を極端に薄く、しかも、羽根部材が摺接しても問題がないように形成することは、成形加工上、極めて困難なことである。また、上記のような各装置は、作業者が組み立てるため、小型になればなるほど、製造コストが高くなる。そのため、構成部材の多機能化を図るなどして、部品点数が少なくて済むようにしたり、組立が出来るだけ簡単に行え且つ分解も容易に行えるようにする必要がある。
【０００８】
本発明は、このような問題点を解決するためになされたものであり、その目的とするところは、撮影レンズを地板に接触しないで地板側に寄せ得る構成にし、且つカバー板の形状を工夫することによって、組立及び分解が容易であると共に、地板に対するアクチュエータの取り付けも行えるようにした、カメラの小型化，薄型化，低コスト化に好適なカメラ用羽根駆動装置を提供することである。
【課題を解決するための手段】
【０００９】
上記の目的を達成するために、本発明のカメラ用羽根駆動装置は、撮影レンズとの接触を避けるために開口部を有している合成樹脂製の地板と、金属製の薄い板材で前記地板と略同じ外形形状に製作されていて前記地板に対して所定の間隔を空けて取り付けられており前記地板側には複数個の突出部が形成されていると共に外形縁の所定の位置には先端にフック部を有する折曲部が少なくとも一つ形成されているカバー板と、金属製の薄い板材で製作されていて前記開口部よりも小さく且つ光軸を中心にした円形の光路規制用開口部を有しており前記地板に位置決めされた上で前記突出部によって前記地板に対して圧接され前記カバー板との間に羽根室を構成している口径規制板と、前記羽根室内に配置されていて前記地板に回転可能に取り付けられている羽根部材と、複数の取付部を有していて前記羽根部材を往復回転させるために前記地板の前記口径規制板側とは反対側の面に配置されていており該取付部の少なくとも一つを前記フック部に係合させて前記地板に取り付けられているアクチュエータと、を備えているようにする。
【００１０】
その場合、前記アクチュエータが、二つの取付部を有していて、一方の取付部はねじによって前記地板に取り付けられているようにしてもよいし、前記口径規制板が、複数の孔を有していて、それらを前記地板に設けられた複数の位置決めピンに嵌合させることによって位置決めされているようにしてもよい。
【発明の効果】
【００１１】
本発明のカメラ用羽根駆動装置は、合成樹脂製の地板に光路規制用の開口部を設けず、撮影レンズとの接触を避けるために大きな開口部を形成するので、カメラ構成の薄型化が可能になる。また、光路規制用の開口部を有する金属製の口径規制板を地板に固定せず、カバー板によって圧接するだけなので、組立や分解作業が容易となり、コスト的にも有利である。また、アクチュエータは、少なくとも１箇所を、ねじを用いずにカバー板のフック部によって取り付けられるので、地板の形状を大きくしなくて済み、小型化や低コスト化にとって有利である。更に、金属製のカバー板は、羽根室の構成と、口径規制板の取り付けと、アクチュエータの取り付けとを行っていて、部品点数の削減に有利となっている。
【発明を実施するための最良の形態】
【００１２】
本発明の実施の形態を、図示した実施例によって説明する。尚、実施例は、携帯電話に内蔵されるカメラ用シャッタ装置として構成されたものであり、図１は、その平面図であり、図２は、図１の要部断面図であるが、後述するように、シャッタ羽根を、絞り羽根やフィルタ羽根と交換することによって、絞り装置やフィルタ装置とすることも可能なものである。また、それらの装置は、携帯電話や他のカメラ付き情報端末装置のみならず、従来からの銀塩フィルムカメラやデジタルカメラにも適用することができるものである。
【実施例】
【００１３】
先ず、本実施例の構成を説明する。地板１は、合成樹脂製であって、中心が光軸位置となるようにして円形の開口部１ａが形成されている。この開口部１ａは、本実施例のシャッタ装置をカメラに配置したとき、図示していない撮影レンズを近接して配置しても、地板１が撮影レンズに触れないようにするためのものであって、地板１の板厚の範囲内で、撮影レンズの一部を開口部１ａ内に挿入させることもできるようになっている。そのため、そのような目的が達成されるのであれば、この開口部１ａは、必ずしも円形である必要はない。また、図１に示されているように、地板１の表面側には軸１ｂが設けられており、背面側には、軸１ｃと、二つの位置決めピン１ｄ，１ｅと、二つのストッパ１ｆ，１ｇとが設けられている。更に、地板１の背面側には、二つの取付部が設けられているが、それらのうちの一つの取付部１ｈが、図２に示されている。
【００１４】
口径規制板２は、金属製の薄い板材で製作されていて、明示されていないが、外形形状は地板１と略同じであって、上記した二つの取付部（一つの取付部１ｈだけ図示）の位置だけは逃げる形状になっている。そして、この口径規制板２には、中心が光軸位置となるようにして円形の開口部２ａが形成されているが、この開口部２ａは、地板１の開口部１ａより直径がかなり小さく、撮影光の光路を規制するようになっている。また、この口径規制板２には、二つの孔２ｂ，２ｃが形成されていて、上記の位置決めピン１ｄ，１ｅに着脱可能に嵌合している。更に、明示していないが、この口径規制板２には、円形の孔と、円弧状の長孔とが形成されていて、図２から分かるように、上記の軸１ｃがその円形の孔を貫通している。また、円弧状の長孔には、後述するモータの出力ピン１２ｂが挿入されている。
【００１５】
カバー板３は、金属製の薄い板材で製作されていて、明示されていないが、外形形状は地板１と略同じであり、上記した二つの取付部（一つの取付部１ｈだけ図示）に、ねじ４，５で取り付けられ、口径規制板との間に所定の空間を設けて、羽根室を構成している。そして、本実施例の場合には、符号を付けていないが、このカバー板３にも、中心が光軸位置となるようにして上記の開口部１ａと同じ形状の開口部が形成されている。しかしながら、その開口部の場合には、口径規制用の開口部２ａよりも大きければよく、特にその大きさには意味がない。
【００１６】
このカバー板３には、地板１側に四つの突出部３ａ，３ｂ，３ｃ，３ｄと、一つの折曲部３ｅが形成されている。そのうち、四つの突出部３ａ，３ｂ，３ｃ，３ｄは、上記の口径規制板２を地板１に圧接させている。そのため、カバー板３を地板１から取り外せば、口径規制板２も地板１から簡単に取り外せるようになっている。また、カバー板３の外形縁に形成された折曲部３ｅは、その先端が地板１の反対側まで達する長さを有していて、その先端部にフック部としての四角い孔３ｆを形成しているが、この折曲部３ｅは、その材質上、可撓性を有している。更に、このカバー板３には、円形の孔３ｇ（図２参照）と、円弧状の長孔３ｈ（図２参照）とが形成されていて、その孔３ｇには、上記の軸１ｃの先端が挿入され、長孔３ｈには、後述するモータの出力ピン１２ｂが挿入されている。
【００１７】
シャッタ羽根６は、前記羽根室内に配置されていて、上記の軸１ｃに、円形の孔を回転可能に嵌合させている。そして、このシャッタ羽根６には、周知のように、長孔６ａが形成されている。尚、本実施例は、このようにシャッタ羽根を１枚だけしか備えていないが、図１をみれば明らかなように、シャッタ羽根を周知の２枚構成とし、それらを同時に相反する方向へ回転させるように構成しても、地板１を大きくしなくて済むように配置設計がなされている。また、本実施例のようなシャッタ羽根を１枚だけ備えたシャッタ装置と、２枚備えたシャッタ装置とを選択的に製作することができるようにすることも容易である。
【００１８】
図１において、地板１の表面側には、シャッタ羽根６を往復回転させるためのアクチュエータが取り付けられている。このアクチュエータは、ムービングマグネット型モータなどと称されている電流制御式のモータであって、固定子コイルに対する通電方向に対応して、永久磁石製の回転子が、所定の角度範囲内でだけ往復回転するモータである。本発明は、そのようなモータの構成自体とは直接関係がないので、詳細な構成が理解できるように図示されているとはいえないが、以下においては、図示されている範囲内で説明をすることにする。
【００１９】
先ず、固定子は、固定子枠７と、コイル８と、二つのヨーク９，１０とで構成されている。固定子枠７には、地板１の軸１ｂの先端を嵌合させる孔７ａのほかに、取付部が２箇所設けられており、一方の取付部はねじ孔であって、ねじ１１によって地板１に取り付けられ、他方の取付部は係合部７ｂであって、折曲部３ｅの孔３ｆに掛け止めされている。そして、尚、図１から分かるように、本実施例の場合、固定子枠７の左方位置には、ねじ止めできるところがない。もし、ねじ止めをするためには、固定子枠７も地板１も、左方へ突き出た形状にする必要がある。しかし、そのようにすれば、装置の大型化を招くし、ねじも必要になる。そこで、本実施例の場合には、このような構成を採用している。また、このような取付構成を固定子枠７の右側や右下側に複数箇所設ければ、ねじ１１を不要にすることも可能である。
【００２０】
このようにして取り付けられている固定子枠７は、筒状のボビン部７ｂを有していて、その外周にコイル８を巻回している。また、各々二つの脚部を有するヨーク９，１０は重合されていて、各々の一方の脚部を、ボビン部７ｂの中空部に挿入し、各々の二つの脚部の先端を固定子の磁極部としている。そして、これらのヨーク９，１０は、明示されていないが、地板１に形成された窪み部の形状などによって位置規制されるようになっている。また、ヨーク９，１０の個々の形状も明示されていないが、ボビン部７ｂに挿入している方の脚部は同じ形状をしているのに対して、ボビン部７ｂに挿入されていない方の脚部の先端形状は異なっており、この種のモータで周知のように、コイル８が無通電状態のとき、後述する回転子１２の停止状態を好適に維持する形状になっている。
【００２１】
次に、回転子１２は、地板１の軸１ｂに回転可能に取り付けられており、その円周面に対向するようにして、上記のヨーク９，１０の磁極部が配置されている。また、この回転子１２は、径方向に２極に着磁された永久磁石製であるが、その径方向に張出した腕部１２ａの先端には、回転子１２の回転軸（軸１ｂ）と平行になるようにして出力ピン１２ｂが形成されている。そして、その出力ピン１２ｂは、地板１に形成された円弧状の長孔１ｉ（図２参照）と、口径規制板２に形成された明示されていない円弧状の長孔を貫通していて、羽根室内でシャッタ羽根６の長孔６ａに嵌合し、その先端を、カバー板３の円弧状の長孔３ｈに挿入している。
【００２２】
次に、本実施例の作動を説明する。図１は本実施例の初期状態を示しており、シャッタ羽根６は開口部２ａを全開にしている。そのため、固体撮像素子は被写体光にさらされており、被写体像をモニターで観察可能となっている。また、このとき、モータのコイル８には通電されていないが、周知のように、回転子１２とヨーク９，１０との間に作用する磁気吸引力によって、回転子１２には時計方向へ回転する力が付与されている。そのため、シャッタ羽根６は、出力ピン１２ｂによって時計方向へ回転する力が与えられていて、ストッパ１ｇに対する接触状態を維持されている。
【００２３】
撮影に際してレリーズボタンを押すと、固体撮像素子に蓄積されていた電荷が放出され、撮影のための露光が開始する。そして、所定の時間が経過すると、露光制御回路からの信号によって、コイル８に対して正方向に電流が供給され、回転子１２が反時計方向へ回転させられる。そのため、シャッタ羽根６は、反時計方向へ回転し、開口部２ａを閉鎖した後、先端部がストッパ１ｆに当接して停止する。このようにして開口部２ａが閉鎖すると、その状態において撮像情報が記憶装置に転送され。そして、その転送が終了すると、モータのコイル８に対して、上記の場合とは逆方向へ電流が供給される。そのため、回転子１２は時計方向へ回転してシャッタ羽根６に開き作動を行わせる。その後、シャッタ羽根６が、開口部２ａを全開にし、ストッパ１ｇに当接して停止すると、コイル８に対する通電が断たれ、図１の初期状態に復帰する。
【００２４】
尚、実施例は、上記のように、カメラ付き携帯電話に好適に組み込めるように構成したものであるが、その他のカメラ付き情報端末装置や、デジタルカメラや、銀塩フィルムカメラにも適用することができることは言うまでもない。但し、銀塩フィルムカメラに適用する場合には、シャッタ羽根を２枚構成にすることが多いし、初期状態は光路規制用開口部の閉鎖状態となる。また、実施例の場合には、アクチュエータとして、ムービングマグネット型モータを用いているが、この種のモータには種々の構成が知られているので、どのような構成のものを採用してもよいし、ステップモータなどの他の電磁駆動装置を採用しても差し支えない。
【００２５】
また、実施例は、本発明をシャッタ装置として構成した場合の一例であるが、本発明は、絞り装置や、フィルタ装置とすることも可能である。即ち、絞り装置とした場合の一例としては、実施例のシャッタ羽根６に、開口部２ａよりも小さい円形の開口部を形成して、絞り羽根としたものが考えられるし、フィルタ装置とした場合の一例としては、実施例のシャッタ羽根６に、適宜な大きさの開口部を形成しておき、その開口部を覆うようにしてＮＤフィルタ板を貼付することによって、フィルタ羽根としたものが考えられる。更に、上記の絞り羽根のような羽根を２枚用意し、それらの間に、ＮＤフィルタ板のみで製作した羽根を挟み込んで、３層のフィルタ羽根としたものも考えられる。
【図面の簡単な説明】
【００２６】
【図１】実施例の平面図である。
【図２】図１の要部断面図である。
【符号の説明】
【００２７】
１                            地板
１ａ，２ａ                    開口部
１ｂ，１ｃ                    軸
１ｄ，１ｅ                    位置決めピン
１ｆ，１ｇ                    ストッパ
１ｈ                          取付部
１ｉ，３ｈ                    長孔
２                            口径規制板
２ｂ，２ｃ，３ｆ，３ｇ，７ａ  孔
３                            カバー板
３ａ，３ｂ，３ｃ，３ｄ        突出部
３ｅ                          折曲部
４，５，１１                  ねじ
６                            シャッタ羽根
７                            固定子枠
７ｂ                          係合部
７ｃ                          ボビン部
８                            コイル
９，１０                      ヨーク
１２                          回転子
１２ａ                        腕部
１２ｂ                        出力ピン
【図１】
2005189717.tif 000003
【図２】
2005189717.tif 000004